(57)【要約】      （修正有）【課題】ターボジェットエンジンのカウリングの外側外壁を流れる空気に対し旋回流を発生させ、空気の流れを円滑にさせ、ジェット排気と周辺大気との混合を促進させる。【解決手段】ターボジェットエンジンの排気ダクト（排気ノズル）２３の外側外壁において、その半径方向外側に突出する旋回羽根３５を、該当する排気ダクト（排気ノズル）２３の外側の外壁部に沿って螺旋状に設けることにより、高速で流れる排気ダクト（排気ノズル）２３の周辺流動空気に旋回流を発生させて、排気ダクト（排気ノズル）２３の外側外壁に流れる流動空気の流れを円滑に後方に排出させるように構成させる。【選択図】        図２
2004251146.tif 000002
【特許請求の範囲】
【請求項１】
推進空気を生成させるため外気をエンジン内または燃焼室に導入させる圧縮圧の異なった複数の圧縮ターボファン設備と前記圧縮ターボファン設備を駆動させるために高圧の燃焼ガスによって駆動される複数の駆動用タービン設備を備え、燃料供給手段により燃焼室に燃料を供給する設備と燃焼室設備とを備える一連の燃焼設備を備え、この一連の燃焼設備を収納するカウリングを備えたターボファンジェットエンジンにおいて、前記エンジン内または前記燃焼室から推進力として排気される排気ジェットが通過する排気ダクト（排気ノズル）の外側部分において、半径方向外側に突出する旋回羽根を、外側の外壁部に沿って螺旋状に設けることにより、前記排気ダクト（排気ノズル）の外側の外壁部に沿って流れる低圧コンプレッサーから排出された空気を旋回させながら、前記エンジンの後方へ排出させるように構成することを特徴とするターボファンジェットエンジン。
【請求項２】
前記排気ダクト（排気ノズル）の外側の外壁部に設置される前記旋回羽根の突端部までの高さが、前記排気ダクト（排気ノズル）の前端から同排気ダクト（排気ノズル）の後端に向けて徐々に高くなるように形成することを特徴とする請求項１に記載のターボファンジェットエンジン。
【請求項３】
前記排気ダクト（排気ノズル）の外側の外壁部に設置される前記旋回羽根の突端部までの高さが、旋回羽根終了地点の手前において、旋回羽根の高さを最大ピークとし、その後は旋回羽根の高さを徐々に低くなるように形成することを特徴とする請求項１に記載のターボファンジェットエンジン。
【請求項４】
前記排気ダクト（排気ノズル）の外側の外壁部に設置される前記旋回羽根のねじれ角が、前記排気ダクト（排気ノズル）の前端から同排気ダクト（排気ノズル）の後端に向けて徐々にに大きくなるようにして、前記旋回羽根を設けることを特徴とする請求項１〜３に記載のターボファンジェットエンジン。
【請求項５】
前記排気ダクト（排気ノズル）の外側の外壁部に設置される前記旋回羽根の側面部を、前記排気ダクト（排気ノズル）の半径方向から旋回流の回転方向側に傾斜させるようにして、前記旋回羽根を設けることを特徴とする請求項１〜４のいずれか１つに記載のターボファンジェットエンジン。
【請求項６】
前記排気ダクト（排気ノズル）の外側の外壁部に設置される前記旋回羽根に対して前記旋回羽根の断面形状が、同旋回羽根の突端部から前記排気ダクト（排気ノズル）の外壁部に近づくにつれて徐々に幅広となるように形成することを特徴とする請求項５に記載のターボファンジェットエンジン。
【請求項７】
推進空気を生成させるため外気をエンジン内または燃焼室に導入させる圧縮圧の異なった複数の圧縮ターボファン設備と前記圧縮ターボファン設備を駆動させるために高圧の燃焼ガスによって駆動される複数の駆動用タービン設備を備え、燃料供給手段により燃焼室に燃料を供給する設備と燃焼室設備とを備える一連の燃焼設備を備え、この一連の燃焼設備を収納するカウリングを備えたターボファンジェットエンジンにおいて、前記エンジンを収納するエンジン・コア・カウル（インナー・カウル）の外側部分において、半径方向外側に突出する旋回羽根を、外側の外壁部に沿って螺旋状に設けることにより、前記エンジン・コア・カウル（インナー・カウル）の外側の外壁部に沿って流れる低圧コンプレッサーから排出された空気を旋回させながら、前記エンジンの後方へ排出させるように構成することを特徴とするターボファンジェットエンジン。
【請求項８】
前記エンジン・コア・カウル（インナー・カウル）の外側の外壁部に設置される前記旋回羽根の突端部までの高さが、前記エンジン・コア・カウル（インナー・カウル）の前端から同エンジン・コア・カウル（インナー・カウル）の後端に向けて徐々に高くなるように形成することを特徴とする請求項７に記載のターボファンジェットエンジン。
【請求項９】
前記エンジン・コア・カウル（インナー・カウル）の外側の外壁部に設置される前記旋回羽根の突端部までの高さが、旋回羽根終了地点の手前において、旋回羽根の高さを最大ピークとし、その後は旋回羽根の高さを徐々に低くなるように形成することを特徴とする請求項７に記載のターボファンジェットエンジン。
【請求項１０】
前記エンジン・コア・カウル（インナー・カウル）の外側の外壁部に設置される前記旋回羽根のねじれ角が、前記エンジン・コア・カウル（インナー・カウル）の前端から同エンジン・コア・カウル（インナー・カウル）の後端に向けて徐々にに大きくなるようにして、前記旋回羽根を設けることを特徴とする請求項７〜９に記載のターボファンジェットエンジン。
【請求項１１】
前記エンジン・コア・カウル（インナー・カウル）の外側の外壁部に設置される前記旋回羽根の側面部を、前記エンジン・コア・カウル（インナー・カウル）の半径方向から旋回流の回転方向側に傾斜させるようにして、前記旋回羽根を設けることを特徴とする請求項７〜９のいずれか１つに記載のターボファンジェットエンジン。
【請求項１２】
前記エンジン・コア・カウル（インナー・カウル）の外側の外壁部に設置される前記旋回羽根に対して前記旋回羽根の断面形状が、同旋回羽根の突端部から前記エンジン・コア・カウル（インナー・カウル）の外壁部に近づくにつれて徐々に幅広となるように形成することを特徴とする請求項１０に記載のターボファンジェットエンジン。
【請求項１３】
推進空気を生成させるため外気をエンジン内または燃焼室に導入させる圧縮圧の異なった複数の圧縮ターボファン設備と前記圧縮ターボファン設備を駆動させるために高圧の燃焼ガスによって駆動される複数の駆動用タービン設備を備え、燃料供給手段により燃焼室に燃料を供給する設備と燃焼室設備とを備える一連の燃焼設備を備え、この一連の燃焼設備を収納するカウリングを備えたターボファンジェットエンジンにおいて、前記エンジンを収納するファン・リバーサー・カウル（アウター・カウル）の外側後方部分において、半径方向外側に突出する旋回羽根を、外側の外壁部に沿って螺旋状に設けることにより、前記ファン・リバーサー・カウル（アウター・カウル）の外側の外壁部に沿って流れる空気を旋回させながら、前記エンジンの後方へ排出させるように構成することを特徴とするターボファンジェットエンジン。
【請求項１４】
前記ファン・リバーサー・カウル（アウター・カウル）の外側後方部分の外壁部に設置される前記旋回羽根の突端部までの高さが、前記ファン・リバーサー・カウル（アウター・カウル）の中間位置から同ファン・リバーサー・カウル（アウター・カウル）の後端に向けて徐々に高くなるように形成することを特徴とする請求項１１に記載のターボファンジェットエンジン。
【請求項１５】
前記ファン・リバーサー・カウル（アウター・カウル）の外側後方部分の外壁部に設置される前記旋回羽根の突端部までの高さが、旋回羽根終了地点の手前において、旋回羽根の高さを最大ピークとし、その後は旋回羽根の高さを徐々に低くなるように形成することを特徴とする請求項１１に記載のターボファンジェットエンジン。
【請求項１６】
前記ファン・リバーサー・カウル（アウター・カウル）の外側後方部分の外壁部に設置される前記旋回羽根のねじれ角が、前記ファン・リバーサー・カウル（アウター・カウル）の中間位置から同ファン・リバーサー・カウル（アウター・カウル）の後端に向けて徐々にに大きくなるようにして、前記旋回羽根を設けることを特徴とする請求項１１〜１４に記載のターボファンジェットエンジン。
【請求項１７】
前記ファン・リバーサー・カウル（アウター・カウル）の外側後方部分の外壁部に設置される前記旋回羽根の側面部を、前記ファン・リバーサー・カウル（アウター・カウル）の半径方向から旋回流の回転方向側に傾斜させるようにして、前記旋回羽根を設けることを特徴とする請求項１１〜１５のいずれか１つに記載のターボファンジェットエンジン。
【請求項１８】
前記ファン・リバーサー・カウル（アウター・カウル）の外側後方部分の外壁部に設置される前記旋回羽根に対して前記旋回羽根の断面形状が、同旋回羽根の突端部から前記ファン・リバーサー・カウル（アウター・カウル）の外壁部に近づくにつれて徐々に幅広となるように形成することを特徴とする請求項１６に記載のターボファンジェットエンジン。
【請求項１９】
請求項１に記載の前記排気ダクト（排気ノズル）に備える旋回羽根と請求項１３に記載の前記ファン・リバーサー・カウル（アウター・カウル）に備える旋回羽根を併用して構成することを特徴とするターボファンジェットエンジン。
【請求項２０】
請求項７に記載の前記エンジン・コア・カウル（インナー・カウル）に備える旋回羽根と請求項１３に記載の前記ファン・リバーサー・カウル（アウター・カウル）に備える旋回羽根を併用して構成することを特徴とするターボファンジェットエンジン。
【発明の詳細な説明】
【０００１】
【発明の属する技術分野】
本発明は、ターボファンジェットエンジンに関し、詳しくはターボファンジェットエンジンの推進空気であるジェット排気の排気口部の構造の改良に関するものである。
【０００２】
【従来の技術】
航空機用ターボファンジェットエンジンは、エンジン前面の空気取り入れ口から吸引した空気を圧縮機の前に取り付けられたプロペラ状の羽根にて、前方から取り入れた空気を加速させて後方へ圧縮空気を送る。この加速された空気の流れの一部は圧縮機にてさらに圧縮されてから、圧縮空気として燃焼室にてジェット燃料と混合させて燃焼させる。この燃焼によって生成された高温高圧の排気ガスをタービンに通過させる。この時に高温高圧の排気ガスによってタービンを駆動させて一連の圧縮機の駆動力を得てから排気ガスとしてエンジン後方に激しく噴出させて推進力を得ている。  また一方この一連の燃焼行程を通過していない残りの加速された圧縮空気はバイパスを通ってエンジンから噴出させる構造となっている。
【０００３】
【発明が解決しようとする課題】
このような構成を備える航空機用ターボファンジェットエンジンでは、低圧タービンまでスムーズに流れていた推進力であるジェット排気は、排気ダクト（排気ノズル）から排出されると周辺大気と混合されるわけだが、この時に周辺大気とジェット排気が混合される時に流速が早いジェット排気と流速の遅い周辺大気とが混ざり合う付近に互いの速度差によって非常に乱れた乱流状態となってジェット排気と周辺大気との境界付近では小さな渦が多数発生する。この時に発生するジェット排気による騒音が環境問題として問題視されている。また一方の問題点として周辺大気とジェット排気が混合される時に境界付近で発生する渦ではジェット排気の流速や空気流量などの損失が発生し、これらの種々の損失が、ターボファンジェットエンジンの推進力の効率を低下させる要因となっている。またエンジン・コア・カウル（インナー・カウル）やファン・リバーサー・カウル（アウター・カウル）の外側を流れる空気は、各カウリング付近において空気の滞りが生じ空気の境界層が発生して剥離性を低下させている。このカウリング付近における空気の境界層の発生に伴う剥離性の低下は、カウリングを含むエンジン自体への空気抵抗の増大を招いている。よってターボファンジェットエンジンの推進力を向上させ、かつジェット騒音を低減させるための対策として、各カウリングの外側を流れる流動空気に対して、いかに空気の境界層の発生を低減させるとともに排気ダクト（排気ノズル）から排出されるジェット排気との混合に関しては境界付近にて渦の発生を抑えつつ効果的に混合させ混合比促進を図ることができるかが問われている。
【０００４】
したがって、本発明の課題は、ターボファンジェットエンジンから排出される推進力であるジェット排気が、周辺大気と混合するときに生じる種々の損失を低減させかつジェット騒音を低減させるべく、排気ダクト（排気ノズル）やターボファンジェットエンジンを収納格納したエンジン・コア・カウル（インナー・カウル）並びにファン・リバーサー・カウル（アウター・カウル）の外側外壁を流れる流動空気に対して各カウリング付近における空気の境界層の発生を削減させ、ジェット排気と周辺大気との混合比を促進させるべく、各カウリングの外側外壁の後端に旋回流を発生させる旋回羽根を設けるようにした、ターボファンジェットエンジンの排気ダクト（排気ノズル）やエンジン・コア・カウル（インナー・カウル）並びにファン・リバーサー・カウル（アウター・カウル）の外側外壁を提供するものである。
【０００５】
【課題を解決するための手段】
請求項１に記載の第１の発明は、推進空気を生成させるため外気をエンジン内または燃焼室に導入させる圧縮圧の異なった複数の圧縮ターボファン設備と前記圧縮ターボファン設備を駆動させるために高圧の燃焼ガスによって駆動される複数の駆動用タービン設備を備え、燃料供給手段により燃焼室に燃料を供給する設備と燃焼室設備とを備える一連の燃焼設備を備え、この一連の燃焼設備を収納するカウリングを備えたターボファンジェットエンジンにおいて、前記エンジン内または前記燃焼室から推進力として排気される排気ジェットが通過する排気ダクト（排気ノズル）の外側部分において、半径方向外側に突出する旋回羽根を、外側の外壁部に沿って螺旋状に設けることにより、前記排気ダクト（排気ノズル）の外側外壁部に沿って流れる低圧コンプレッサーから排出された空気を旋回させながら、前記エンジンの後方へ排出させるように構成することを特徴としている。
【０００６】
上記発明によると、ターボファンジェットエンジンの低圧コンプレッサーから排出されたバイパス空気が、排気ダクト（排気ノズル）の外側外壁部を沿ってを流れる際に、その排気ダクト（排気ノズル）の外側外壁部近傍の空気は、螺旋状の旋回羽根に沿うように回転方向に曲げられ旋回流として流れる。このとき、排気ダクト（排気ノズル）の外側外壁部近傍の空気には円周方向の流れ成分が与えられ、次第にその円周方向に旋回するようになる。こうした旋回羽根の作用により、排気ダクト（排気ノズル）の外側外壁部近傍を流れる空気には、エンジン内の低圧圧縮コンプレッサーと同じ回転方向の旋回流が発生する。そして、この旋回流により旋回しながら空気は、境界層を生成することなくターボファンジェットエンジンの後方へ排出され、排気ダクト（排気ノズル）から排出されるジェット排気と混合される。
【０００７】
請求項２に記載の第２の発明は、第１の発明の構成に加え、前記排気ダクト（排気ノズル）の外側の外壁部に設置される前記旋回羽根の突端部までの高さが、前記排気ダクト（排気ノズル）の前端から同排気ダクト（排気ノズル）の後端に向けて徐々に高くなるように形成することを特徴としている。
【０００８】
上記第２の発明によると、排気ダクト（排気ノズル）の外側外壁部に設置される旋回羽根の高さが排気ダクト（排気ノズル）後方の旋回羽根の終点に向けて徐々に高くなり、旋回羽根の終点にて最大となるため、排気ダクト（排気ノズル）前端にて発生する旋回流の大きさもまた、排気ダクト（排気ノズル）後方の旋回羽根の終点にて徐々に大きくなり、排気ダクト（排気ノズル）後方の旋回羽根の終点にて最大となる。一方、旋回羽根の高さを高くすると、排気ダクト（排気ノズル）前端において旋回させる空気は、周辺空気との抵抗がそれだけ大きくなり、気流の差が生じて乱流となる傾向がある。しかし、旋回羽根を上記のような構成とすることで、乱流をできるだけ抑えながら、効果的に旋回流が発生するようになる。
【０００９】
請求項３に記載の第３の発明は、第１の発明の構成に加え、前記排気ダクト（排気ノズル）の外側の外壁部に設置される前記旋回羽根の突端部までの高さが、旋回羽根終了地点の手前において、旋回羽根の高さを最大ピークとし、その後は旋回羽根の高さを徐々に低くなるように形成することを特徴としている。
【００１０】
上記第３の発明によると、排気ダクト（排気ノズル）の外側の外壁部に設置される旋回羽根の高さが旋回羽根終了地点の手前において、旋回羽根の高さを最大ピークとし、その後は旋回羽根の高さを徐々に低くなるようにしている。一方、旋回羽根の高さを高くすると、排気ダクト（排気ノズル）前端部分において旋回させる空気は、周辺空気との抵抗がそれだけ大きくなり、気流の差が生じて乱流となる傾向がある。しかし、旋回羽根を上記のような構成とすることで、乱流をできるだけ抑えながら、効果的に旋回流が発生するようになる。
【００１１】
請求項４に記載の第４の発明は、第１さらに第２又は第３の発明の構成に加え、前記排気ダクト（排気ノズル）の外側の外壁部に設置される前記旋回羽根のねじれ角が、前記排気ダクト（排気ノズル）の前端から同排気ダクト（排気ノズル）の後端に向けて徐々にに大きくなるようにして、前記旋回羽根を設けることを特徴としている。
【００１２】
上記第４の発明によると、旋回羽根のねじれ角が排気ダクト（排気ノズル）の後方に向かうにつれて徐々に大きくなり、旋回羽根の終点にて最大となるため、排気ダクト（排気ノズル）の前端部分にて発生する旋回流の大きさもまた、旋回羽根の終点にて徐々に大きくなり、旋回羽根の終点にて最大となる。一方、旋回羽根のねじれ角を大きくすると、その旋回羽根に沿って流れる空気による気体は円周方向の速度成分がより大きくなる反面、周辺空気との抵抗がそれだけ大きくなり、気流の差が生じて乱流となる傾向がある。しかし、旋回羽根を上記のような構成とすることで、乱流をできるだけ抑えながら、効果的に旋回流が発生するようになる。
【００１３】
請求項５に記載の第５の発明は、第４の発明の構成に加え、前記排気ダクト（排気ノズル）の外側の外壁部に設置される前記旋回羽根の側面部を、前記排気ダクト（排気ノズル）の半径方向から旋回流の回転方向側に傾斜させるようにして、前記旋回羽根を設けることを特徴としている。
【００１４】
上記第５の発明によると、旋回流の回転方向側に傾斜させた旋回羽根は、排気ダクト（排気ノズル）の外壁周辺を流れる空気に旋回流を生じさせるとともに、この排気ダクト（排気ノズル）の外壁周辺を流れる空気を排気ダクト（排気ノズル）の外壁部付近からその排気ダクト（排気ノズル）の後方へと流れるよう案内する。これにより、旋回羽根が直接作用しない周辺の空気においても、弱いながらも旋回流が効果的に発生するようになる。また、一般的に旋回流を発生させると外に向かうにつれて旋回流が起きにくくなる傾向にある。しかし、上記のように構成された旋回羽根は、周辺の空気にも弱いながらも旋回流へと誘導するため排気ダクト（排気ノズル）周辺を流れる気体全体の流れがよりスムーズになる。
【００１５】
請求項６に記載の発明は、請求項５に記載の発明の構成に加え、前記排気ダクト（排気ノズル）の外側の外壁部に設置される前記旋回羽根に対して前記旋回羽根の断面形状が、同旋回羽根の突端部から前記排気ダクト（排気ノズル）の外壁部に近づくにつれて徐々に幅広となるように形成することを特徴としている。
【００１６】
上記第６の発明によると、旋回羽根の断面が末広がり状となるように形成することで、旋回羽根自体の強度及びその取り付け強度が十分に確保され、鋳造など比較的容易な方法による一体形成が可能となる。
【００１７】
請求項７に記載の第７の発明は、推進空気を生成させるため外気をエンジン内または燃焼室に導入させる圧縮圧の異なった複数の圧縮ターボファン設備と前記圧縮ターボファン設備を駆動させるために高圧の燃焼ガスによって駆動される複数の駆動用タービン設備を備え、燃料供給手段により燃焼室に燃料を供給する設備と燃焼室設備とを備える一連の燃焼設備を備え、この一連の燃焼設備を収納するカウリングを備えたターボファンジェットエンジンにおいて、前記エンジンを収納するエンジン・コア・カウル（インナー・カウル）の外側部分において、半径方向外側に突出する旋回羽根を、外側の外壁部に沿って螺旋状に設けることにより、前記エンジン・コア・カウル（インナー・カウル）の外側の外壁部に沿って流れる低圧コンプレッサーから排出された空気を旋回させながら、前記エンジンの後方へ排出させるように構成することを特徴としている。
【００１８】
上記第７の発明によると、ターボファンジェットエンジンを収納格納するエンジン・コア・カウル（インナー・カウル）の外周を沿ってを流れる空気が、エンジン・コア・カウル（インナー・カウル）の前端部分を流れる際に、そのエンジン・コア・カウル（インナー・カウル）の外壁部近傍の空気は、螺旋状の旋回羽根に沿うように回転方向に曲げられ旋回流として流れる。このとき、エンジン・コア・カウル（インナー・カウル）の外壁部近傍の空気には円周方向の流れ成分が与えられ、次第にその円周方向に旋回するようになる。こうした旋回羽根の作用により、エンジン・コア・カウル（インナー・カウル）の外壁部近傍を流れる空気には、エンジン内の低圧圧縮コンプレッサーと同じ回転方向の旋回流が発生する。そして、この旋回流により旋回しながら空気は、境界層を生成することなくターボファンジェットエンジンの後方へ排出され、排気ダクト（排気ノズル）から排出されるジェット排気と混合される。
【００１９】
請求項８に記載の第８の発明は、第７の発明の構成に加え、前記エンジン・コア・カウル（インナー・カウル）の外側の外壁部に設置される前記旋回羽根の突端部までの高さが、前記エンジン・コア・カウル（インナー・カウル）の前端から同エンジン・コア・カウル（インナー・カウル）の後端に向けて徐々に高くなるように形成することを特徴としている。
【００２０】
上記第８の発明によると、エンジン・コア・カウル（インナー・カウル）の外側の外壁部に設置される旋回羽根の高さがエンジン・コア・カウル（インナー・カウル）後端部分の旋回羽根の終点に向けて徐々に高くなり、旋回羽根の終点にて最大となるため、エンジン・コア・カウル（インナー・カウル）前端部分にて発生する旋回流の大きさもまた、エンジン・コア・カウル（インナー・カウル）後端部分の旋回羽根の終点にて徐々に大きくなり、エンジン・コア・カウル（インナー・カウル）後端部分の旋回羽根の終点にて最大となる。一方、旋回羽根の高さを高くすると、エンジン・コア・カウル（インナー・カウル）前端部分において旋回させる空気は、周辺空気との抵抗がそれだけ大きくなり、気流の差が生じて乱流となる傾向がある。しかし、旋回羽根を上記のような構成とすることで、乱流をできるだけ抑えながら、効果的に旋回流が発生するようになる。
【００２１】
請求項９に記載の第９の発明は、第７の発明の構成に加え、前記エンジン・コア・カウル（インナー・カウル）の外側の外壁部に設置される前記旋回羽根の突端部までの高さが、旋回羽根終了地点の手前において、旋回羽根の高さを最大ピークとし、その後は旋回羽根の高さを徐々に低くなるように形成することを特徴としている。
【００２２】
上記第９の発明によると、エンジン・コア・カウル（インナー・カウル）の外側の外壁部に設置される旋回羽根の高さが旋回羽根終了地点の手前において、旋回羽根の高さを最大ピークとし、その後は旋回羽根の高さを徐々に低くなるようにしている。一方、旋回羽根の高さを高くすると、エンジン・コア・カウル（インナー・カウル）前端部分において旋回させる空気は、周辺空気との抵抗がそれだけ大きくなり、気流の差が生じて乱流となる傾向がある。しかし、旋回羽根を上記のような構成とすることで、乱流をできるだけ抑えながら、効果的に旋回流が発生するようになる。
【００２３】
請求項１０に記載の第１０の発明は、第７さらに第８又は第９の発明の構成に加え、前記エンジン・コア・カウル（インナー・カウル）の外側の外壁部に設置される前記旋回羽根のねじれ角が、前記エンジン・コア・カウル（インナー・カウル）の前端から同エンジン・コア・カウル（インナー・カウル）の後端に向けて徐々にに大きくなるようにして、前記旋回羽根を設けることを特徴としている。
【００２４】
上記第１０の発明によると、旋回羽根のねじれ角がエンジン・コア・カウル（インナー・カウル）の後端に向かうにつれて徐々に大きくなり、旋回羽根の終点にて最大となるため、エンジン・コア・カウル（インナー・カウル）前端部分にて発生する旋回流の大きさもまた、旋回羽根の終点にて徐々に大きくなり、旋回羽根の終点にて最大となる。一方、旋回羽根のねじれ角を大きくすると、その旋回羽根に沿って流れる空気による気体は円周方向の速度成分がより大きくなる反面、周辺空気との抵抗がそれだけ大きくなり、気流の差が生じて乱流となる傾向がある。しかし、旋回羽根を上記のような構成とすることで、乱流をできるだけ抑えながら、効果的に旋回流が発生するようになる。
【００２５】
請求項１１に記載の第１１の発明は、第１０の発明の構成に加え、前記エンジン・コア・カウル（インナー・カウル）の外側の外壁部に設置される前記旋回羽根の側面部を、前記エンジン・コア・カウル（インナー・カウル）の半径方向から旋回流の回転方向側に傾斜させるようにして、前記旋回羽根を設けることを特徴としている。
【００２６】
上記第１１の発明によると、旋回流の回転方向側に傾斜させた旋回羽根は、エンジン・コア・カウル（インナー・カウル）の外壁周辺を流れる空気に旋回流を生じさせるとともに、このエンジン・コア・カウル（インナー・カウル）の外壁周辺を流れる空気をエンジン・コア・カウル（インナー・カウル）の外壁部付近からそのエンジン・コア・カウル（インナー・カウル）の後端部分へと流れるよう案内する。これにより、旋回羽根が直接作用しない周辺の空気においても、弱いながらも旋回流が効果的に発生するようになる。また、一般的に旋回流を発生させると外に向かうにつれて旋回流が起きにくくなる傾向にある。しかし、上記のように構成された旋回羽根は、周辺の空気にも弱いながらも旋回流へと誘導するためエンジン・コア・カウル（インナー・カウル）周辺を流れる気体全体の流れがよりスムーズになる。
【００２７】
請求項１２に記載の発明は、請求項１１に記載の発明の構成に加え、前記エンジン・コア・カウル（インナー・カウル）の外側の外壁部に設置される前記旋回羽根に対して前記旋回羽根の断面形状が、同旋回羽根の突端部から前記エンジン・コア・カウル（インナー・カウル）の外壁部に近づくにつれて徐々に幅広となるように形成することを特徴としている。
【００２８】
上記第１２の発明によると、旋回羽根の断面が末広がり状となるように形成することで、旋回羽根自体の強度及びその取り付け強度が十分に確保され、鋳造など比較的容易な方法による一体形成が可能となる。
【００２９】
請求項１３に記載の第１３の発明は、推進空気を生成させるため外気をエンジン内または燃焼室に導入させる圧縮圧の異なった複数の圧縮ターボファン設備と前記圧縮ターボファン設備を駆動させるために高圧の燃焼ガスによって駆動される複数の駆動用タービン設備を備え、燃料供給手段により燃焼室に燃料を供給する設備と燃焼室設備とを備える一連の燃焼設備を備え、この一連の燃焼設備を収納するカウリングを備えたターボファンジェットエンジンにおいて、前記エンジンを収納するファン・リバーサー・カウル（アウター・カウル）の外側後方部分において、半径方向外側に突出する旋回羽根を、外側の外壁部に沿って螺旋状に設けることにより、前記ファン・リバーサー・カウル（アウター・カウル）の外側の外壁部に沿って流れる低圧コンプレッサーから排出された空気を旋回させながら、前記エンジンの後方へ排出させるように構成することを特徴としている。
【００３０】
上記第１３の発明によると、ターボファンジェットエンジンを収納格納するファン・リバーサー・カウル（アウター・カウル）の外周を沿ってを流れる空気が、ファン・リバーサー・カウル（アウター・カウル）の後方部分を流れる際に、そのファン・リバーサー・カウル（アウター・カウル）の後方外壁部近傍の空気は、螺旋状の旋回羽根に沿うように回転方向に曲げられ旋回流として流れる。このとき、ファン・リバーサー・カウル（アウター・カウル）の後方外壁部近傍の空気には円周方向の流れ成分が与えられ、次第にその円周方向に旋回するようになる。こうした旋回羽根の作用により、ファン・リバーサー・カウル（アウター・カウル）の後方外壁部近傍を流れる空気には、エンジン内の低圧圧縮コンプレッサーと同じ回転方向の旋回流が発生する。そして、この旋回流により旋回しながら空気は、境界層を生成することなくターボファンジェットエンジンの後方へ排出され、排気ダクト（排気ノズル）から排出されるジェット排気と混合される。
【００３１】
請求項１４に記載の第１４の発明は、第１３の発明の構成に加え、前記ファン・リバーサー・カウル（アウター・カウル）の外側後方の外壁部に設置される前記旋回羽根の突端部までの高さが、前記ファン・リバーサー・カウル（アウター・カウル）の外側中間位置から同ファン・リバーサー・カウル（アウター・カウル）の後端に向けて徐々に高くなるように形成することを特徴としている。
【００３２】
上記第１４の発明によると、ファン・リバーサー・カウル（アウター・カウル）の外側の外壁部に設置される旋回羽根の高さがファン・リバーサー・カウル（アウター・カウル）後端部分の旋回羽根の終点に向けて徐々に高くなり、旋回羽根の終点にて最大となるため、ファン・リバーサー・カウル（アウター・カウル）中間位置にて発生する旋回流の大きさもまた、ファン・リバーサー・カウル（アウター・カウル）後端部分の旋回羽根の終点にて徐々に大きくなり、ファン・リバーサー・カウル（アウター・カウル）後端部分の旋回羽根の終点にて最大となる。一方、旋回羽根の高さを高くすると、ファン・リバーサー・カウル（アウター・カウル）中間位置部分において旋回させる空気は、周辺空気との抵抗がそれだけ大きくなり、気流の差が生じて乱流となる傾向がある。しかし、旋回羽根を上記のような構成とすることで、乱流をできるだけ抑えながら、効果的に旋回流が発生するようになる。
【００３３】
請求項１５に記載の第１５の発明は、第１３の発明の構成に加え、前記ファン・リバーサー・カウル（アウター・カウル）の外側後方部分の外壁部に設置される前記旋回羽根の突端部までの高さが、旋回羽根終了地点の手前において、旋回羽根の高さを最大ピークとし、その後は旋回羽根の高さを徐々に低くなるように形成することを特徴としている。
【００３４】
上記第１５の発明によると、ファン・リバーサー・カウル（アウター・カウル）の外側後方部分の外壁部に設置される旋回羽根の高さが旋回羽根終了地点の手前において、旋回羽根の高さを最大ピークとし、その後は旋回羽根の高さを徐々に低くなるようにしている。一方、旋回羽根の高さを高くすると、ファン・リバーサー・カウル（アウター・カウル）中間位置部分において旋回させる空気は、周辺空気との抵抗がそれだけ大きくなり、気流の差が生じて乱流となる傾向がある。しかし、旋回羽根を上記のような構成とすることで、乱流をできるだけ抑えながら、効果的に旋回流が発生するようになる。
【００３５】
請求項１６に記載の第１６の発明は、第１３さらに第１４又は第１５の発明の構成に加え、前記ファン・リバーサー・カウル（アウター・カウル）の外側後方部分の外壁部に設置される前記旋回羽根のねじれ角が、前記ファン・リバーサー・カウル（アウター・カウル）の中間位置から同ファン・リバーサー・カウル（アウター・カウル）の後端に向けて徐々にに大きくなるようにして、前記旋回羽根を設けることを特徴としている。
【００３６】
上記第１６の発明によると、旋回羽根のねじれ角がファン・リバーサー・カウル（アウター・カウル）の後端に向かうにつれて徐々に大きくなり、旋回羽根の終点にて最大となるため、ファン・リバーサー・カウル（アウター・カウル）の中間位置部分にて発生する旋回流の大きさもまた、旋回羽根の終点にて徐々に大きくなり、旋回羽根の終点にて最大となる。一方、旋回羽根のねじれ角を大きくすると、その旋回羽根に沿って流れる空気による気体は円周方向の速度成分がより大きくなる反面、周辺空気との抵抗がそれだけ大きくなり、気流の差が生じて乱流となる傾向がある。しかし、旋回羽根を上記のような構成とすることで、乱流をできるだけ抑えながら、効果的に旋回流が発生するようになる。
【００３７】
請求項１７に記載の第１７の発明は、第１６の発明の構成に加え、前記ファン・リバーサー・カウル（アウター・カウル）の外側後方部分の外壁部に設置される前記旋回羽根の側面部を、前記ファン・リバーサー・カウル（アウター・カウル）の半径方向から旋回流の回転方向側に傾斜させるようにして、前記旋回羽根を設けることを特徴としている。
【００３８】
上記第１７の発明によると、旋回流の回転方向側に傾斜させた旋回羽根は、ファン・リバーサー・カウル（アウター・カウル）の外壁周辺を流れる空気に旋回流を生じさせるとともに、このファン・リバーサー・カウル（アウター・カウル）の外壁周辺を流れる空気をファン・リバーサー・カウル（アウター・カウル）の外壁部付近からそのファン・リバーサー・カウル（アウター・カウル）の後端部分へと流れるよう案内する。これにより、旋回羽根が直接作用しない周辺の空気においても、弱いながらも旋回流が効果的に発生するようになる。また、一般的に旋回流を発生させると外に向かうにつれて旋回流が起きにくくなる傾向にある。しかし、上記のように構成された旋回羽根は、周辺の空気にも弱いながらも旋回流へと誘導するためファン・リバーサー・カウル（アウター・カウル）周辺を流れる気体全体の流れがよりスムーズになる。
【００３９】
請求項１８に記載の発明は、請求項１７に記載の発明の構成に加え、前記ファン・リバーサー・カウル（アウター・カウル）の外側後方部分の外壁部に設置される前記旋回羽根に対して前記旋回羽根の断面形状が、同旋回羽根の突端部から前記ファン・リバーサー・カウル（アウター・カウル）の外壁部に近づくにつれて徐々に幅広となるように形成することを特徴としている。
【００４０】
上記第１８の発明によると、旋回羽根の断面が末広がり状となるように形成することで、旋回羽根自体の強度及びその取り付け強度が十分に確保され、鋳造など比較的容易な方法による一体形成が可能となる。
【００４１】
請求項１９に記載の第１９の発明は、第１の発明である前記排気ダクト（排気ノズル）に備える旋回羽根と第１３の発明である前記ファン・リバーサー・カウル（アウター・カウル）に備える旋回羽根を併用して構成することを特徴としている。
【００４２】
上記第１９の発明によると、ターボファンジェットエンジンの低圧コンプレッサーから排出された圧縮空気が、排気ダクト（排気ノズル）の外周を沿って排気ダクト（排気ノズル）の前端部分を流れる際に、その排気ダクト（排気ノズル）の外壁部近傍の空気は、螺旋状の旋回羽根に沿うように回転方向に曲げられ旋回流として流れる。また同時にファン・リバーサー・カウル（アウター・カウル）にも排気ダクト（排気ノズル）と同様の構造とした螺旋状の旋回羽根が設けられており、このファン・リバーサー・カウル（アウター・カウル）の外壁部近傍の空気は、螺旋状の旋回羽根に沿うように回転方向に曲げられ旋回流として流れる。ファン・リバーサー・カウル（アウター・カウル）と排気ダクト（排気ノズル）の２箇所に螺旋状の旋回羽根をもうける併用法とすることにより、互いの区域においてこの旋回流となった空気は、境界層を生成することなくターボファンジェットエンジンの後方へ排出され、排気ダクト（排気ノズル）から排出されるジェット排気と混合される。
【００４３】
請求項２０に記載の発明は、第７の発明である前記エンジン・コア・カウル（インナー・カウル）に備える旋回羽根と第１３の発明である前記ファン・リバーサー・カウル（アウター・カウル）に備える旋回羽根を併用して構成することを特徴としている。
【００４４】
上記第２０の発明によると、ターボファンジェットエンジンを収納格納するエンジン・コア・カウル（インナー・カウル）の外周を沿ってを流れる空気が、エンジン・コア・カウル（インナー・カウル）の前端部分を流れる際に、そのエンジン・コア・カウル（インナー・カウル）の外壁部近傍の空気は、螺旋状の旋回羽根に沿うように回転方向に曲げられ旋回流として流れる。また同時にファン・リバーサー・カウル（アウター・カウル）にもエンジン・コア・カウル（インナー・カウル）と同様の構造とした螺旋状の旋回羽根が設けられており、このファン・リバーサー・カウル（アウター・カウル）の外壁部近傍の空気は、螺旋状の旋回羽根に沿うように回転方向に曲げられ旋回流として流れる。ファン・リバーサー・カウル（アウター・カウル）とエンジン・コア・カウル（インナー・カウル）の２箇所に螺旋状の旋回羽根をもうける併用法とすることにより、互いの区域においてこの旋回流となった空気は、境界層を生成することなくターボファンジェットエンジンの後方へ排出され、排気ダクト（排気ノズル）から排出されるジェット排気と混合される。
【００４５】
【発明の実施の形態】
（第１実施形態）
以下、第１及至第６の発明をターボジェットエンジン（以下エンジン）における一連の燃焼設備であるエンジン内の燃焼室から推進力として排気される排気ジェットが通過する排気ダクト（排気ノズル）の外側部分において、この排気ダクト（排気ノズル）の外側外壁部に具体化した一実施形態を図面に基づいて説明する。図１は本第１実施形態におけるエンジンの主要部を示す断面図であり、図２及び図３は排気ダクト（排気ノズル）の外側の部分図である。
【００４６】
第１実施形態のターボジェットエンジン（以下はエンジン）の基本的構造は、圧縮機、燃焼室、タービンの３つで構成されている。エンジン１１前方から入った空気は、エンジン内１１の低圧コンプレッサー１３を通過し、その一部の空気を燃焼用空気として中圧コンプレッサー１４次に高圧コンプレッサー１５による一連の圧縮機にて圧縮されて燃焼室１６に入る。この燃焼室１６にて燃焼用空気に燃料を噴射すると、一気に燃焼して高温高圧の燃焼ガスが生成される。この高温高圧の燃焼ガスがタービンを回して駆動力として圧縮機を作動させ、またエンジン１１後方に激しく噴出して推進力となる。タービンは、燃焼室から順に高圧タービン１７次に中圧タービン１８そして低圧タービン１９が設置されている。一方、エンジン内１１の低圧コンプレッサー１３を通過し、燃焼室１６に導入されない他の圧縮空気はバイパス空気としてエンジン１１後方に噴出され、低圧タービン１９から噴出する高温高圧の燃焼ガスと合流し共にジェットエンジンの推進力として噴出される。これら構成からなる一連の燃焼設備であるエンジン内の燃焼室から推進力として排気される排気ジェットが通過する排気ダクト（排気ノズル）２３の外側部分において、この排気ダクト（排気ノズル）２３の外周を沿ってを流れる空気に対して旋回流を与えるために、この排気ダクト（排気ノズル）２３の外側の外壁部分に螺旋状の旋回羽根３５が設けられている。
【００４７】
続いて、本発明の特徴部分である排気ダクト（排気ノズル）２３の外側の外壁部分の構成について詳細に説明する。図３は図２において排気ダクト（排気ノズル）の外側の外壁部分の部分図であり、図４の（Ｇ），（Ｈ），（Ｊ）は排気ダクト（排気ノズル）２３の外側の前面部分の外壁に設けられる旋回羽根３５の１つを、それぞれ矢印Ｇ，矢印Ｈの方向から概略的に示す図であり、またはＪについてはＪ−Ｊ間で破断して示す断面図である。図５及び図６は排気ダクト（排気ノズル）２３の外側の外壁部分の断面図である。
【００４８】
図３に示すように、排気ダクト（排気ノズル）２３は、エンジンの形状に合わせ円形の筒状に形成され、エンジン・コア・カウル（インナー・カウル）２２にて固定されている。排気ダクト（排気ノズル）２３の外側外壁には、複数枚（図では６枚）の旋回羽根３５が一定の間隔で設けられる。各旋回羽根３５は、排気ダクト（排気ノズル）２３の外側外壁を流れる空気が、Ｒ方向に旋回するように、排気ダクト（排気ノズル）２３外側外壁部に沿って旋回方向Ｒに曲げられ螺旋状に設けられる。
【００４９】
図４の（Ｇ）〜（Ｊ）に示すように、旋回羽根３５は複雑なねじれ羽根状に形成される。旋回羽根３５は、まず、排気ダクト（排気ノズル）２３の外側の外壁部から突端部３８までの高さが、すなわち排気ダクト（排気ノズル）の先端位置から排気ダクト（排気ノズル）２３後部に向かうにつれて、徐々に高くなるように形成される。そして、旋回羽根終了地点の手前において、旋回羽根３５の高さをピーク３６とし、その後は旋回羽根３５の高さを徐々に低くなるように形成される。また、旋回羽根３５は、排気ダクト（排気ノズル）２３の軸線方向に対するねじれ角αが、すなわち排気ダクト（排気ノズル）２３の先端位置から排気ダクト（排気ノズル）２３後部に向かうにつれて、徐々に大きくなるようにして設けられる。さらに、旋回羽根３５は、その突端部３８の位置を、排気ダクト（排気ノズル）２３の半径方向から旋回方向Ｒに沿って、傾斜角βだけ傾斜させ、側面部３７が傾斜した状態となるようにして設けられる。
【００５０】
次いで、上記のように構成される排気ダクト（排気ノズル）２３の外側外壁部分の作用及び効果について説明する。
【００５１】
航行中の航空機において、低圧コンプレッサー１３の稼動により吸い込まれる燃焼用空気または空気内、燃焼用空気は燃焼室へ流れ、他の空気はバイパス空気として吸気通路の吸い込み口部２１を通じて低圧コンプレッサー１３から圧縮空気として排出される。このとき、排気ダクト（排気ノズル）２３の外側外壁近傍を流れる空気は一部が旋回羽根３５の側面部３７に当たり、螺旋状に設けられた旋回羽根３５の側面部３７に沿って流れる。これにより、空気には円周方向Ｒの流れ成分が与えられ、次第にその円周方向Ｒに旋回するようになる。そして、旋回流となって排気ダクト（排気ノズル）２３後方に進む空気は、旋回流の流れを維持しながら周辺の空気にも旋回流を与えながら排気ダクト（排気ノズル）２３後方へと流れていく。通常の航空機のエンジン１１の燃焼室から推進力として排気される排気ジェットと低圧コンプレッサー１３から排出されるバイパス空気及び周辺大気とが混合されるときに圧力損失が発生する。しかし、本実施形態のように、予め排気ダクト（排気ノズル）２３周辺の空気に旋回流を与えて排気ダクト（排気ノズル）２３後方へと流れるようにすれば、互いの空気混合が円滑に推進され、空気が混合する時に生じる損失をある程度低減させることができる。
【００５２】
また、実際に排気ダクト（排気ノズル）２３の外側外壁周辺を流れる空気が、整流状態となっていることはほとんどない。特に、空気が最初に直面する排気ダクト（排気ノズル）２３の前方部分では、一時的に激しい乱流状態となり、この乱流による気流抵抗によって、排気ダクト（排気ノズル）２３の後方へと流す空気の流速や圧力など種々の損失が発生し、ひいては推進力の低下を生じていると考えられる。しかし、本実施形態では、旋回羽根３５の旋回流を与える作用により、流れに方向性が与えられるため、激しい乱流状態を解消し、あるいはその程度を緩和することができる。
【００５３】
さらに、排気ダクト（排気ノズル）２３の外側前面の外壁に対して、旋回羽根３５を上述したような構成とすることにより、旋回流を効果的に発生させることができる。すなわち、旋回羽根３５の高さが排気ダクト（排気ノズル）２３後方へと向かうにつれて徐々に高くなっており、かつ、旋回羽根３５のねじれ角αが排気ダクト（排気ノズル）２３後方へと向かうにつれて徐々に大きくなっているため、旋回羽根３５による流速の損失の影響をできるだけ抑えながら、旋回羽根終了地点にてその大きさが最大となるようにして旋回流を発生させることができる。
【００５４】
さらに、旋回羽根３５が傾斜角βだけ傾斜させて設けると共に、旋回羽根終了地点の手前において、旋回羽根３５の高さをピーク３６とし、その後は旋回羽根３５の高さを徐々に低くさせることにより、排気ダクト（排気ノズル）２３の外側前面の外壁部付近における気体の流れが、その排気ダクト（排気ノズル）２３から外方向に向かうようになるため、旋回羽根３５の作用が直接及ばない排気ダクト（排気ノズル）２３周辺付近の空気にも旋回流を発生させることができる。また、流速が遅い排気ダクト（排気ノズル）２３の外側外壁部付近の気体が、乱流の発生を抑制させながら流速が速い周辺付近の流動空気に誘導されるため、排気ダクト（排気ノズル）２３の外側外壁部付近の流体全体の流れをよりスムーズにすることができる。
【００５５】
以上のように、本第１実施形態である燃焼設備であるエンジン内の燃焼室から推進力として排気される排気ジェットが通過する排気ダクト（排気ノズル）２３の外側部分の外壁構造によれば、排気ダクト（排気ノズル）２３の外側の外壁付近の直接作用する空気に対して、空気に旋回流を発生させることにより、その際に生じる種々の損失を低減させることができ、これにより排気ダクト（排気ノズル）２３外壁周辺の空気の境界層を層流に保ったり、または境界層剥離を向上を向上させることができる。
【００５６】
なお、本発明のエンジン１１を収納する排気ダクト（排気ノズル）２３の外側の外壁構造は、上述した実施形態に限定されるものではなく、請求項に記載された内容を逸脱しない範囲内において変更が可能である。例えば、次に示すような構成とすることもできる。
【００５７】
旋回羽根３５の大きさや形状、あるいはその取り付け枚数や場所といった条件は適宜変更が可能であり、排気ダクト（排気ノズル）２３の形式や排気ダクト（排気ノズル）２３の外側の外径、旋回流強度、などに応じて、最適の流れ（旋回流）が得られるように設計してもよい。例えば、図６に示すように、旋回羽根３５の断面が略三角形状となるように形成してもよい。この場合、旋回羽根３５の裏側に半ば閉塞した空間が生じることがないため、旋回羽根３５の裏側に回り込んだ気体がそこで滞り、気体全体のスムーズな流れを阻害するような状態が発生するのを回避することができる。また、旋回羽根３５をこのような形状とした場合、旋回羽根３５自体の強度やその取り付け強度が増すことから、旋回羽根３５と排気ダクト（排気ノズル）２３の外壁を鋳造などの方法により一体成形して製作することができる。
【００５８】
（第２実施形態）
次に、第７及至第１２の発明をターボジェットエンジン（以下エンジン）における一連の燃焼設備であるエンジン１１を収納するエンジン・コア・カウル（インナー・カウル）において、このエンジン・コア・カウル（インナー・カウル）の外側の外壁に具体化した一実施形態を図面に基づいて説明する。図７は本第２実施形態におけるエンジンの主要部を示す概略図であり、図８はエンジン・コア・カウル（インナー・カウル）の外側の外壁の部分図である。
【００５９】
第２実施形態のターボジェットエンジン（以下はエンジン）の基本的構造は、図１と同様に、圧縮機、燃焼室、タービンの３つで構成されている。エンジン１１前方から入った空気は、エンジン内１１の低圧コンプレッサー１３を通過し、その一部の空気を燃焼用空気として中圧コンプレッサー１４次に高圧コンプレッサー１５による一連の圧縮機にて圧縮されて燃焼室１６に入る。この燃焼室１６にて燃焼用空気に燃料を噴射すると、一気に燃焼して高温高圧の燃焼ガスが生成される。この高温高圧の燃焼ガスがタービンを回して駆動力として圧縮機を作動させ、またエンジン１１後方に激しく噴出して推進力となる。タービンは、燃焼室から順に高圧タービン１７次に中圧タービン１８そして低圧タービン１９が設置されている。一方、エンジン内１１の低圧コンプレッサー１３を通過し、燃焼室１６に導入されない他の圧縮空気はバイパス空気としてエンジン１１後方に噴出され、低圧タービン１９から噴出する高温高圧の燃焼ガスと合流し共にジェットエンジンの推進力として噴出される。これら構成からなる一連の燃焼設備であるエンジン１１を収納するエンジン・コア・カウル（インナー・カウル）２２において、このエンジン・コア・カウル（インナー・カウル）２２の外周を沿ってを流れる空気に対して旋回流を与えるために、このエンジン・コア・カウル（インナー・カウル）２２の外側の外壁に螺旋状の旋回羽根４５が設けられている。
【００６０】
続いて、本発明の特徴部分であるエンジン・コア・カウル（インナー・カウル）２２の外側外壁の構成について詳細に説明する。図８は図７においてエンジン・コア・カウル（インナー・カウル）の外側の部分図であり、図９の（Ｋ），（Ｌ），（Ｍ）はエンジン・コア・カウル（インナー・カウル）２２の外側の外壁に設けられる旋回羽根４５の１つを、それぞれ矢印Ｋ，矢印Ｌの方向から概略的に示す図であり、またはＭについてはＭ−Ｍ間で破断して示す断面図である。図１０及び図１１はエンジン・コア・カウル（インナー・カウル）２２の外側の断面図である。
【００６１】
図７に示すように、エンジン・コア・カウル（インナー・カウル）２２の外側外壁は、エンジン１１を覆うように円形の筒状に形成され、上部はファン・リバーサー・カウル（アウター・カウル）１２を経てパイロン２０によって主翼に固定されている。エンジン・コア・カウル（インナー・カウル）２２の外側の外壁には、複数枚（図では６枚）の旋回羽根４５が一定の間隔で設けられる。各旋回羽根４５は、エンジン・コア・カウル（インナー・カウル）２２の外側の前面部分の外壁を流れる空気が、Ｒ方向に旋回するように、エンジン・コア・カウル（インナー・カウル）２２の外側の外壁部に沿って旋回方向Ｒに曲げられ螺旋状に設けられる。
【００６２】
図９の（Ｋ）〜（Ｍ）に示すように、旋回羽根４５は複雑なねじれ羽根状に形成される。旋回羽根４５は、まず、エンジン・コア・カウル（インナー・カウル）２２の外側の外壁部から突端部４８までの高さが、すなわちエンジン・コア・カウル（インナー・カウル）２２の先端位置からエンジン・コア・カウル（インナー・カウル）２２後部に向かうにつれて、徐々に高くなるように形成される。そして、旋回羽根終了地点の手前において、旋回羽根４５の高さをピーク４６とし、その後は旋回羽根４５の高さを徐々に低くなるように形成される。また、旋回羽根４５は、エンジン・コア・カウル（インナー・カウル）２２の軸線方向に対するねじれ角αが、すなわちエンジン・コア・カウル（インナー・カウル）２２の先端位置からエンジン・コア・カウル（インナー・カウル）２２後部に向かうにつれて、徐々に大きくなるようにして設けられる。さらに、旋回羽根４５は、その突端部４８の位置を、エンジン・コア・カウル（インナー・カウル）２２の半径方向から旋回方向Ｒに沿って、傾斜角βだけ傾斜させ、側面部４７が傾斜した状態となるようにして設けられる。
【００６３】
次いで、上記のように構成されるエンジン・コア・カウル（インナー・カウル）２２の外側の外壁部分の作用及び効果について説明する。
【００６４】
航行中の航空機において、エンジン１１の低圧コンプレッサーから排出された圧縮空気であるバイパス空気は、エンジン・コア・カウル（インナー・カウル）２２の外側の外壁上面を通過してエンジン１１の後方へと排出される。このとき、エンジン・コア・カウル（インナー・カウル）２２の外側の外壁近傍を流れる空気は一部が旋回羽根４５の側面部４７に当たり、螺旋状に設けられた旋回羽根４５の側面部４７に沿って流れる。これにより、空気には円周方向Ｒの流れ成分が与えられ、次第にその円周方向Ｒに旋回するようになる。そして、旋回流となってエンジン・コア・カウル（インナー・カウル）２２後方に進む空気は、旋回流の流れを維持しながら周辺の空気にも旋回流を与えながらエンジン・コア・カウル（インナー・カウル）２２後方へと流れていく。通常の航空機のエンジン１１を収納するエンジン・コア・カウル（インナー・カウル）２２の外側外壁周辺には低圧コンプレッサーから排出されたバイパス空気と周辺大気との空気抵抗による流れの損失が発生する。しかし、本実施形態のように、予めエンジン・コア・カウル（インナー・カウル）２２の外壁上面を流れる低圧コンプレッサーから排出されたバイパス空気に旋回流を与えてエンジン・コア・カウル（インナー・カウル）２２後方へと流れるようにすれば、このような空気抵抗による損失をある程度低減させることができる。
【００６５】
また、実際にエンジン・コア・カウル（インナー・カウル）２２の外側外壁周辺を流れる空気が、整流状態となっていることはほとんどない。特に、低圧コンプレッサーから排出されたバイパス空気と周辺大気とが接触する部分では、一時的に激しい乱流状態となり、この乱流による気流抵抗によって、エンジン・コア・カウル（インナー・カウル）２２の後方へと流す空気の流速や圧力など種々の損失が発生し、ひいては推進力の低下を生じていると考えられる。しかし、本実施形態では、旋回羽根４５の旋回流を与える作用により、流れに方向性が与えられるため、激しい乱流状態を解消し、あるいはその程度を緩和することができる。
【００６６】
さらに、エンジン・コア・カウル（インナー・カウル）２２の外側の外壁に対して、旋回羽根４５を上述したような構成とすることにより、旋回流を効果的に発生させることができる。すなわち、旋回羽根４５の高さがエンジン・コア・カウル（インナー・カウル）２２後方へと向かうにつれて徐々に高くなっており、かつ、旋回羽根４５のねじれ角αがエンジン・コア・カウル（インナー・カウル）２２後方へと向かうにつれて徐々に大きくなっているため、旋回羽根４５による流速の損失の影響をできるだけ抑えながら、旋回羽根終了地点にてその大きさが最大となるようにして旋回流を発生させることができる。
【００６７】
さらに、旋回羽根４５が傾斜角βだけ傾斜させて設けると共に、旋回羽根終了地点の手前において、旋回羽根４５の高さをピーク４６とし、その後は旋回羽根４５の高さを徐々に低くさせることにより、エンジン・コア・カウル（インナー・カウル）２２の外側の外壁部付近における気体の流れが、そのエンジン・コア・カウル（インナー・カウル）２２から外方向に向かうようになるため、旋回羽根４５の作用が直接及ばないエンジン・コア・カウル（インナー・カウル）２２周辺付近の空気にも旋回流を発生させることができる。また、流速が遅いエンジン・コア・カウル（インナー・カウル）２２の外側外壁部付近の気体が、乱流の発生を抑制させながら流速が速い周辺付近の流動空気に誘導されるため、エンジン・コア・カウル（インナー・カウル）２２の外側外壁部付近の流体全体の流れをよりスムーズにすることができる。
【００６８】
以上のように、本第２実施形態のエンジン１１を収納するエンジン・コア・カウル（インナー・カウル）２２の外側の外壁構造によれば、エンジン・コア・カウル（インナー・カウル）２２の外側前方の外壁付近の直接作用する空気に対して、空気に旋回流を発生させることにより、その際に生じる種々の損失を低減させることができ、これによりエンジン・コア・カウル（インナー・カウル）２２外壁周辺の空気の境界層を層流に保ったり、または境界層剥離を向上を向上させることができる。
【００６９】
なお、本発明のエンジン１１を収納するエンジン・コア・カウル（インナー・カウル）２２外側の外壁構造は、上述した実施形態に限定されるものではなく、請求項に記載された内容を逸脱しない範囲内において変更が可能である。例えば、次に示すような構成とすることもできる。
【００７０】
旋回羽根４５の大きさや形状、あるいはその取り付け枚数や場所といった条件は適宜変更が可能であり、エンジン・コア・カウル（インナー・カウル）２２の形式やエンジン・コア・カウル（インナー・カウル）２２の外側の外径、旋回流強度、などに応じて、最適の流れ（旋回流）が得られるように設計してもよい。例えば、図１１に示すように、旋回羽根４５の断面が略三角形状となるように形成してもよい。この場合、旋回羽根４５の裏側に半ば閉塞した空間が生じることがないため、旋回羽根４５の裏側に回り込んだ気体がそこで滞り、気体全体のスムーズな流れを阻害するような状態が発生するのを回避することができる。また、旋回羽根４５をこのような形状とした場合、旋回羽根４５自体の強度やその取り付け強度が増すことから、旋回羽根４５とエンジン・コア・カウル（インナー・カウル）２２の外壁を鋳造などの方法により一体成形して製作することができる。
【００７１】
（第３実施形態）
次に、第１３及至第１８の発明をターボジェットエンジン（以下エンジン）における一連の燃焼設備であるエンジン１１を収納するファン・リバーサー・カウル（アウター・カウル）１２において、このファン・リバーサー・カウル（アウター・カウル）１２の外側後方部に具体化した一実施形態を図面に基づいて説明する。図１２は本第３実施形態におけるエンジンの主要部を示す概略図であり、図１３はファン・リバーサー・カウル（アウター・カウル）１２の外側後方の部分図である。
【００７２】
第２実施形態のターボジェットエンジン（以下はエンジン）の基本的構造は、図１と同様に、圧縮機、燃焼室、タービンの３つで構成されている。エンジン１１前方から入った空気は、エンジン内１１の低圧コンプレッサー１３を通過し、その一部の空気を燃焼用空気として中圧コンプレッサー１４次に高圧コンプレッサー１５による一連の圧縮機にて圧縮されて燃焼室１６に入る。この燃焼室１６にて燃焼用空気に燃料を噴射すると、一気に燃焼して高温高圧の燃焼ガスが生成される。この高温高圧の燃焼ガスがタービンを回して駆動力として圧縮機を作動させ、またエンジン１１後方に激しく噴出して推進力となる。タービンは、燃焼室から順に高圧タービン１７次に中圧タービン１８そして低圧タービン１９が設置されている。一方、エンジン内１１の低圧コンプレッサー１３を通過し、燃焼室１６に導入されない他の圧縮空気はバイパス空気としてエンジン１１後方に噴出され、低圧タービン１９から噴出する高温高圧の燃焼ガスと合流し共にジェットエンジンの推進力として噴出される。これら構成からなる一連の燃焼設備であるエンジン１１を収納するファン・リバーサー・カウル（アウター・カウル）１２において、このファン・リバーサー・カウル（アウター・カウル）１２の外周を沿ってを流れる空気に対して旋回流を与えるために、このファン・リバーサー・カウル（アウター・カウル）１２の外側後方部分に螺旋状の旋回羽根５５が設けられている。
【００７３】
続いて、本発明の特徴部分であるファン・リバーサー・カウル（アウター・カウル）１２の外側後方部分の構成について詳細に説明する。図１３は図１２においてファン・リバーサー・カウル（アウター・カウル）の外側後方部分の部分図であり、図１４の（Ｎ），（Ｐ），（Ｑ）はファン・リバーサー・カウル（アウター・カウル）１２の外側の前面部分の外壁に設けられる旋回羽根５５の１つを、それぞれ矢印Ｎ，矢印Ｐの方向から概略的に示す図であり、またはＱについてはＱ−Ｑ間で破断して示す断面図である。図１５及び図１６はファン・リバーサー・カウル（アウター・カウル）１２の外側後方部分の断面図である。
【００７４】
図１２に示すように、ファン・リバーサー・カウル（アウター・カウル）２２の外側は、エンジン１１を覆うように円形の筒状に形成され、上部はパイロン２０によって主翼に固定されている。ファン・リバーサー・カウル（アウター・カウル）１２外側後方部分の外壁には、複数枚（図では６枚）の旋回羽根５５が一定の間隔で設けられる。各旋回羽根５５は、ファン・リバーサー・カウル（アウター・カウル）１２の外側後方部分の外壁を流れる空気が、Ｒ方向に旋回するように、ファン・リバーサー・カウル（アウター・カウル）１２の外側後方部分の外壁部に沿って旋回方向Ｒに曲げられ螺旋状に設けられる。
【００７５】
図１４の（Ｎ）〜（Ｑ）に示すように、旋回羽根５５は複雑なねじれ羽根状に形成される。旋回羽根５５は、まず、ファン・リバーサー・カウル（アウター・カウル）１２の外側後方部分の外壁部から突端部５８までの高さが、すなわちファン・リバーサー・カウル（アウター・カウル）１２の先端位置からファン・リバーサー・カウル（アウター・カウル）１２後端部に向かうにつれて、徐々に高くなるように形成される。そして、旋回羽根終了地点の手前において、旋回羽根５５の高さをピーク５６とし、その後は旋回羽根５５の高さを徐々に低くなるように形成される。また、旋回羽根５５は、ファン・リバーサー・カウル（アウター・カウル）１２の軸線方向に対するねじれ角αが、すなわちファン・リバーサー・カウル（アウター・カウル）１２の中央位置からファン・リバーサー・カウル（アウター・カウル）１２後部に向かうにつれて、徐々に大きくなるようにして設けられる。さらに、旋回羽根５５は、その突端部５８の位置を、ファン・リバーサー・カウル（アウター・カウル）１２の半径方向から旋回方向Ｒに沿って、傾斜角βだけ傾斜させ、側面部５７が傾斜した状態となるようにして設けられる。
【００７６】
次いで、上記のように構成されるファン・リバーサー・カウル（アウター・カウル）１２の外側後方外壁部分の作用及び効果について説明する。
【００７７】
航行中の航空機において、エンジン１１を収納するファン・リバーサー・カウル（アウター・カウル）１２の外側外壁に直面する空気は、ファン・リバーサー・カウル（アウター・カウル）１２の前面から後方へと導かれる。このとき、ファン・リバーサー・カウル（アウター・カウル）１２の外側の後方外壁近傍を流れる空気は一部が旋回羽根５５の側面部５７に当たり、螺旋状に設けられた旋回羽根５５の側面部５７に沿って流れる。これにより、空気には円周方向Ｒの流れ成分が与えられ、次第にその円周方向Ｒに旋回するようになる。そして、旋回流となってファン・リバーサー・カウル（アウター・カウル）１２後方に進む空気は、旋回流の流れを維持しながら周辺の空気にも旋回流を与えながらファン・リバーサー・カウル（アウター・カウル）１２後方へと流れていく。通常の航空機のエンジン１１を収納するファン・リバーサー・カウル（アウター・カウル）１２の外側外壁周辺には空気抵抗による流れの損失が発生する。しかし、本実施形態のように、予めファン・リバーサー・カウル（アウター・カウル）１２周辺の空気に旋回流を与えてファン・リバーサー・カウル（アウター・カウル）１２後方へと流れるようにすれば、このような空気抵抗による損失をある程度低減させることができる。
【００７８】
また、実際にファン・リバーサー・カウル（アウター・カウル）１２の外側外壁周辺を流れる空気が、整流状態となっていることはほとんどない。特に、空気が最初に直面するファン・リバーサー・カウル（アウター・カウル）１２の外壁上面付近では、一時的に激しい乱流状態となり、この乱流による気流抵抗によってファン・リバーサー・カウル（アウター・カウル）１２の後方へと流す空気の流速や圧力など種々の損失が発生し、ひいては推進力の低下を生じていると考えられる。しかし、本実施形態では、旋回羽根５５の旋回流を与える作用により、流れに方向性が与えられるため、激しい乱流状態を解消し、あるいはその程度を緩和することができる。
【００７９】
さらに、ファン・リバーサー・カウル（アウター・カウル）１２の外側後方の外壁に対して、旋回羽根５５を上述したような構成とすることにより、旋回流を効果的に発生させることができる。すなわち、旋回羽根５５の高さがファン・リバーサー・カウル（アウター・カウル）１２後方へと向かうにつれて徐々に高くなっており、かつ、旋回羽根５５のねじれ角αがファン・リバーサー・カウル（アウター・カウル）１２後方へと向かうにつれて徐々に大きくなっているため、旋回羽根５５による流速の損失の影響をできるだけ抑えながら、旋回羽根終了地点にてその大きさが最大となるようにして旋回流を発生させることができる。
【００８０】
さらに、旋回羽根５５が傾斜角βだけ傾斜させて設けると共に、旋回羽根終了地点の手前において、旋回羽根５５の高さをピーク３６とし、その後は旋回羽根３５の高さを徐々に低くさせることにより、ファン・リバーサー・カウル（アウター・カウル）１２の外側後方の外壁部付近における気体の流れが、そのファン・リバーサー・カウル（アウター・カウル）１２から外方向に向かうようになるため、旋回羽根５５の作用が直接及ばないファン・リバーサー・カウル（アウター・カウル）１２周辺付近の空気にも旋回流を発生させることができる。また、流速が遅いファン・リバーサー・カウル（アウター・カウル）の外側外壁部付近の気体が、乱流の発生を抑制させながら流速が速い周辺付近の流動空気に誘導されるため、ファン・リバーサー・カウル（アウター・カウル）１２の外側外壁部付近の流体全体の流れをよりスムーズにすることができる。
【００８１】
以上のように、本第３実施形態のエンジン１１を収納するファン・リバーサー・カウル（アウター・カウル）１２の外側前面の外壁構造によれば、ファン・リバーサー・カウル（アウター・カウル）１２の外側後方の外壁付近の直接作用する空気に対して、空気に旋回流を発生させることにより、その際に生じる種々の損失を低減させることができ、これによりファン・リバーサー・カウル（アウター・カウル）１２外壁周辺の空気の境界層を層流に保ったり、または境界層剥離を向上を向上させることができる。
【００８２】
なお、本発明のエンジン１１を収納するファン・リバーサー・カウル（アウター・カウル）１２の外側後方の外壁構造は、上述した実施形態に限定されるものではなく、請求項に記載された内容を逸脱しない範囲内において変更が可能である。例えば、次に示すような構成とすることもできる。
【００８３】
旋回羽根５５の大きさや形状、あるいはその取り付け枚数や場所といった条件は適宜変更が可能であり、ファン・リバーサー・カウル（アウター・カウル）１２の形式やファン・リバーサー・カウル（アウター・カウル）１２の外側の外径、旋回流強度、などに応じて、最適の流れ（旋回流）が得られるように設計してもよい。例えば、図１６に示すように、旋回羽根５５の断面が略三角形状となるように形成してもよい。この場合、旋回羽根５５の裏側に半ば閉塞した空間が生じることがないため、旋回羽根５５の裏側に回り込んだ気体がそこで滞り、気体全体のスムーズな流れを阻害するような状態が発生するのを回避することができる。また、旋回羽根５５をこのような形状とした場合、旋回羽根５５自体の強度やその取り付け強度が増すことから、旋回羽根５５とファン・リバーサー・カウル（アウター・カウル）１２の外壁を鋳造などの方法により一体成形して製作することができる。
【００８４】
なお、本発明は排気ジェットと低圧コンプレッサー１３から排出されるバイパス空気及び周辺大気とが混合を円滑に推進させ、各空気が混合する時に生じる損失をある程度低減させる目的から第１実施形態、第２実施形態、第３実施形の各実施形態を併用する方法を用いることが可能である。例えば、次に示すような構成とすることもできる。
【００８５】
（１）第１実施形態に記載の排気ダクト（排気ノズル）２３に備える旋回羽根３５と第３実施形態に記載のファン・リバーサー・カウル（アウター・カウル）１２に備える旋回羽根５５を併用して構成する併用法が挙げられる。この併用法は、排気ダクト（排気ノズル）２３の外壁部に螺旋状の旋回羽根３５を設け、ターボファンジェットエンジンの低圧コンプレッサー１３から排出されたバイパス空気に対して旋回流として流れさせ、かつファン・リバーサー・カウル（アウター・カウル）１２の外側外壁後方部分にも螺旋状の旋回羽根が設け、エンジン１１の周辺を流れる大気に関しても旋回流の流れを与える方法である。旋回流の流れの強さは排気ダクト（排気ノズル）２３の外壁上面に流れるバイパス空気が強く、対してファン・リバーサー・カウル（アウター・カウル）１２の外側外壁後方部分のに流れる気流は弱くなる傾向になる。従ってジェット排気に近づくにつれて旋回流を強くし、離れるに従って徐々に弱まる構造とすることによって低圧コンプレッサー１３から排出されるバイパス空気とエンジンの周辺を流れる大気とが円滑に混合が推進され、各空気が混合する時に生じる損失をある程度低減させることができる。
【００８６】
（２）第２実施形態に記載のエンジン・コア・カウル（インナー・カウル）２２に備える旋回羽根４５と第３実施形態に記載のファン・リバーサー・カウル（アウター・カウル）１２に備える旋回羽根５５を併用して構成する併用法が挙げられる。この併用法は、エンジン・コア・カウル（インナー・カウル）２２の外壁部に螺旋状の旋回羽根４５を設け、ターボファンジェットエンジンの低圧コンプレッサー１３から排出されたバイパス空気に対して旋回流として流れさせ、かつファン・リバーサー・カウル（アウター・カウル）１２の外側外壁後方部分にも螺旋状の旋回羽根５５が設け、エンジン１１の周辺を流れる大気に関しても旋回流の流れを与える方法である。旋回流の流れの強さはエンジン・コア・カウル（インナー・カウル）２２の外壁上面に流れるバイパス空気が強く、対してファン・リバーサー・カウル（アウター・カウル）１２の外側外壁後方部分のに流れる気流は弱くなる傾向になる。従ってジェット排気に近づくにつれて旋回流を強くし、離れるに従って徐々に弱まる構造とすることによって低圧コンプレッサー１３から排出されるバイパス空気とエンジンの周辺を流れる大気とが円滑に混合が推進され、各空気が混合する時に生じる損失をある程度低減させることができる。
【００８７】
【発明の効果】
請求項１に記載の発明によれば、ターボファンジェットエンジンの低圧コンプレッサーから排出されたバイパス空気が、排気ダクト（排気ノズル）の外側外壁部を沿ってを流れる際に旋回流を与えることにより、排気ダクト（排気ノズル）の外側外壁表面上の空気における乱流は抑制され、同一方向に気流が流れる層流を保ちながら排気ダクト（排気ノズル）表面の空気を円滑に後方へ排出させることができる。これにより、排気ダクト（排気ノズル）外側外壁表面の気流において種々の損失を低減させることができ、ジェット排気と周辺大気との円滑な混合が促進され、ひいてはターボファンジェットエンジンの負荷の低減を図ることができることにより、ターボファンジェットエンジンの推進力の向上を図ることができる。
【００８８】
請求項２及至４に記載の発明によれば、請求項６に記載の発明の効果に加え、流速の損失をできるだけ抑えながら、低圧コンプレッサーからのバイパス空気が直接接触する排気ダクト（排気ノズル）の外側外壁に近いところで効果的に旋回流を発生させることができる。
【００８９】
請求項５に記載の発明によれば、請求項１及至４のいずれか１つに記載の発明の効果に加え、旋回羽根が直接作用しない排気ダクト（排気ノズル）の外側周辺外壁近辺を流れる空気においても、旋回流を効果的に発生させることができる。また、排気ダクト（排気ノズル）の外側外壁部付近を流れる流速の遅い気体を、より流速の速い周辺付近の流動空気に誘導することにより、排気ダクト（排気ノズル）の外側外壁を流れるバイパス空気をスムーズにして排気ダクト（排気ノズル）後方へ乱流を押さえ、かつ層流を保ちながら効率良く流れ込ませることができる。
【００９０】
請求項６に記載の発明によれば、請求項５に記載の発明の効果に加え、旋回羽根自体の強度やその取り付け強度を高めることができる。
【００９１】
請求項７に記載の発明によれば、ターボファンジェットエンジンの低圧コンプレッサーから排出されたバイパス空気が、エンジン・コア・カウル（インナー・カウル）の外側外壁部を沿ってを流れる際に旋回流を与えることにより、エンジン・コア・カウル（インナー・カウル）の外側外壁表面上の空気における乱流は抑制され、同一方向に気流が流れる層流を保ちながらエンジン・コア・カウル（インナー・カウル）表面の空気を円滑に後方へ排出させることができる。これにより、エンジン・コア・カウル（インナー・カウル）外側外壁表面の気流において種々の損失を低減させることができ、ジェット排気と周辺大気との円滑な混合が促進され、ひいてはターボファンジェットエンジンの負荷の低減を図ることができることにより、ターボファンジェットエンジンの推進力の向上を図ることができる。
【００９２】
請求項８及至１０に記載の発明によれば、請求項６に記載の発明の効果に加え、流速の損失をできるだけ抑えながら、低圧コンプレッサーからのバイパス空気が直接接触するエンジン・コア・カウル（インナー・カウル）の外側外壁に近いところで効果的に旋回流を発生させることができる。
【００９３】
請求項１１に記載の発明によれば、請求項１及至４のいずれか１つに記載の発明の効果に加え、旋回羽根が直接作用しないエンジン・コア・カウル（インナー・カウル）の外側周辺外壁近辺を流れる空気においても、旋回流を効果的に発生させることができる。また、エンジン・コア・カウル（インナー・カウル）の外側外壁部付近を流れる流速の遅い気体を、より流速の速い周辺付近の流動空気に誘導することにより、エンジン・コア・カウル（インナー・カウル）の外側外壁を流れるバイパス空気をスムーズにしてエンジン・コア・カウル（インナー・カウル）後方へ乱流を押さえ、かつ層流を保ちながら効率良く流れ込ませることができる。
【００９４】
請求項１２に記載の発明によれば、請求項５に記載の発明の効果に加え、旋回羽根自体の強度やその取り付け強度を高めることができる。
【００９５】
請求項１３に記載の発明によれば、ターボファンジェットエンジンを収納するファン・リバーサー・カウル（アウター・カウル）の外側後方の外壁に流れる空気に旋回流を与えることにより、ファン・リバーサー・カウル（アウター・カウル）外壁表面の空気における乱流は抑制され、同一方向に気流が流れる層流を保ちながらファン・リバーサー・カウル（アウター・カウル）表面の空気を円滑に後方へ排出させることができる。これにより、ファン・リバーサー・カウル（アウター・カウル）外側外壁表面の気流において種々の損失を低減させることができ、ジェット排気と周辺大気との円滑な混合が促進され、ひいてはターボファンジェットエンジンの負荷の低減を図ることができることにより、ターボファンジェットエンジンの推進力の向上を図ることができる。
【００９６】
請求項１４及至１６に記載の発明によれば、請求項１３に記載の発明の効果に加え、流速の損失をできるだけ抑えながら、ターボファンジェットエンジンの外側を流れる周辺大気が直接接触するファン・リバーサー・カウル（アウター・カウル）の外側外壁に近いところで効果的に旋回流を発生させることができる。
【００９７】
請求項１７に記載の発明によれば、請求項１３及至１６のいずれか１つに記載の発明の効果に加え、旋回羽根が直接作用しないファン・リバーサー・カウル（アウター・カウル）の外側周辺外壁近辺を流れる空気においても、旋回流を効果的に発生させることができる。また、ファン・リバーサー・カウル（アウター・カウル）の外側外壁部付近を流れる流速の遅い気体を、より流速の速い周辺付近の流動空気に誘導することにより、ファン・リバーサー・カウル（アウター・カウル）の外側外壁を流れるバイパス空気をスムーズにしてファン・リバーサー・カウル（アウター・カウル）後方へ乱流を押さえ、かつ層流を保ちながら効率良く流れ込ませることができる。
【００９８】
請求項１８に記載の発明によれば、請求項１７に記載の発明の効果に加え、旋回羽根自体の強度やその取り付け強度を高めることができる。
【００９９】
請求項１９に記載の発明によれば、請求項１及至６に記載の発明の効果に加え、さらに請求項１３及至１８に記載の発明の効果を加えることによって、ジェット排気に近づくにつれて旋回流を強くし、離れるに従って徐々に弱まる構造とすることによって低圧コンプレッサーから排出されるバイパス空気とエンジンの周辺を流れる大気とが円滑に混合が推進され、各空気が混合する時に生じる損失を程度低減させることができる。
【０１００】
請求項２０に記載の発明によれば、請求項７及至１２に記載の発明の効果に加え、さらに請求項１３及至１８に記載の発明の効果を加えることによって、ジェット排気に近づくにつれて旋回流を強くし、離れるに従って徐々に弱まる構造とすることによって低圧コンプレッサーから排出されるバイパス空気とエンジンの周辺を流れる大気とが円滑に混合が推進され、各空気が混合する時に生じる損失を程度低減させることができる。
【図面の簡単な説明】
【図１】本発明を具体化した第１実施形態、第２実施形態、第３実施形態に共通するターボジェットエンジンの概略構成を示す断面図である。
【図２】本発明を具体化した第１実施形態であるターボジェットエンジンの概略図である。
【図３】本発明を具体化した第１実施形態であるターボジェットエンジンの排気ダクト（排気ノズル）の概略図である。
【図４】同ターボジェットエンジンの排気ダクト（排気ノズル）外側外壁部分における旋回羽根の１つを、それぞれ異なる方向から概略的に示す図であって、（Ｇ）は矢印Ｇの方向から示す図であり、（Ｈ）は矢印Ｈの方向から示す図であり、（Ｊ）はＪ−Ｊ間で破断して示す断面図である。
【図５】同ターボジェットエンジンの排気ダクト（排気ノズル）部分の部分断面図である。
【図６】本発明を具体化した別の実施形態であるターボジェットエンジンの排気ダクト（排気ノズル）部分を、図５と同様に示す部分断面図である。
【図７】本発明を具体化した第２実施形態であるターボジェットエンジンの概略図である。
【図８】本発明を具体化した第２実施形態であるターボジェットエンジンのエンジン・コア・カウル（インナー・カウル）の概略図である。
【図９】同ターボジェットエンジンのエンジン・コア・カウル（インナー・カウル）外側外壁部分における旋回羽根の１つを、それぞれ異なる方向から概略的に示す図であって、（Ｋ）は矢印Ｋの方向から示す図であり、（Ｌ）は矢印Ｌの方向から示す図であり、（Ｍ）はＭ−Ｍ間で破断して示す断面図である。
【図１０】同ターボジェットエンジンのエンジン・コア・カウル（インナー・カウル）部分の部分断面図である。
【図１１】本発明を具体化した別の実施形態であるターボジェットエンジンのエンジン・コア・カウル（インナー・カウル）部分を、図１０と同様に示す部分断面図である。
【図１２】本発明を具体化した第３実施形態であるターボジェットエンジンの概略図である。
【図１３】本発明を具体化した第１実施形態であるターボジェットエンジンのファン・リバーサー・カウル（アウター・カウル）の概略図である。
【図１４】同ターボジェットエンジンのファン・リバーサー・カウル（アウター・カウル）外側外壁部分における旋回羽根の１つを、それぞれ異なる方向から概略的に示す図であって、（Ｎ）は矢印Ｎの方向から示す図であり、（Ｐ）は矢印Ｐの方向から示す図であり、（Ｑ）はＱ−Ｑ間で破断して示す断面図である。
【図１５】同ターボジェットエンジンのファン・リバーサー・カウル（アウター・カウル）部分の部分断面図である。
【図１６】本発明を具体化した別の実施形態であるターボジェットエンジンのファン・リバーサー・カウル（アウター・カウル）部分を、図１５と同様に示す部分断面図である。
【図１７】本発明を具体化した別の実施形態であるターボジェットエンジンの概略図である。
【図１８】本発明を具体化した別の実施形態であるターボジェットエンジンの概略図である。
【符号の説明】
１１  ターボジェットエンジン
１２  ファン・リバーサー・カウル（アウター・カウル）
１３  低圧コンプレッサー
１４  中圧コンプレッサー
１５  高圧コンプレッサー
１６  燃焼室
１７  高圧タービン
１８  中圧タービン
１９  低圧タービン
２０    パイロン
２１    エンジン内の吸気通路部の吸い込み口部（吸気口部）
２２    エンジン・コア・カウル（インナー・カウル）
２３    排気ダクト（排気ノズル）
３５  排気ダクト（排気ノズル）外側外壁における旋回羽根
３６    排気ダクト（排気ノズル）外側外壁における旋回羽根のピーク地点
３７    排気ダクト（排気ノズル）外側外壁における旋回羽根側面部
３８    排気ダクト（排気ノズル）外側外壁における旋回羽根突端部
４５  エンジン・コア・カウル（インナー・カウル）外側外壁における旋回羽根
４６    エンジン・コア・カウル（インナー・カウル）外側外壁における旋回羽根のピーク地点
４７    エンジン・コア・カウル（インナー・カウル）外側外壁における旋回羽根側面部
４８    エンジン・コア・カウル（インナー・カウル）外側外壁における旋回羽根突端部
５５  ファン・リバーサー・カウル（アウター・カウル）外側後方の外壁における旋回羽根
５６    ファン・リバーサー・カウル（アウター・カウル）外側後方の外壁における旋回羽根のピーク地点
５７    ファン・リバーサー・カウル（アウター・カウル）外側後方の外壁における旋回羽根側面部
５８    ファン・リバーサー・カウル（アウター・カウル）外側後方の外壁における旋回羽根突端部
Ｒ  旋回方向
Ｆ  吸気通路内の吸気の進行方向
【図１】
2004251146.tif 000003
【図２】
2004251146.tif 000004
【図３】
2004251146.tif 000005
【図４】
2004251146.tif 000006
【図５】
2004251146.tif 000007
【図６】
2004251146.tif 000008
【図７】
2004251146.tif 000009
【図８】
2004251146.tif 000010
【図９】
2004251146.tif 000011
【図１０】
2004251146.tif 000012
【図１１】
2004251146.tif 000013
【図１２】
2004251146.tif 000014
【図１３】
2004251146.tif 000015
【図１４】
2004251146.tif 000016
【図１５】
2004251146.tif 000017
【図１６】
2004251146.tif 000018
【図１７】
2004251146.tif 000019
【図１８】
2004251146.tif 000020